(57)【要約】      （修正有）【課題】ユーザのＷＥＢ閲覧情報を収集するシステムなどに好適な、情報表示端末、情報送信方法、コンピュータプログラムを提供する。【解決手段】閲覧視点情報収集システム３は、スマートフォン１と、情報収集サーバ２０と、アプリダウンロードサーバ４０とを有し、それらがインターネット通信網を介してデータ交換可能に相互に接続される。スマートフォン１のユーザによるＷＥＢ閲覧時の視点の情報を、スマートフォン１にインストールされた専用アプリケーションソフトを用いて収集する。【選択図】図３
2020091897.tif 000002
【特許請求の範囲】
【請求項１】
情報表示端末が、
（A）   表示画面と、
（B）   当該情報表示端末を操作する操作者の、前記表示画面上の視点位置を検知する視点検知部と、
（C）   前記表示画面の表示内容を特定する情報と、前記視点位置の検知結果とを対応させて所定の送信先へ出力する出力部と、を備え、且つ、
当該情報表示端末の操作者へ報酬が支払われることを条件として前記（C）に記載の出力部の機能を当該情報表示端末が実行することの許諾を操作者へ求める問い合わせ信号を受信して操作者の操作に応じて当該問い合わせ信号に対する回答を送信する、問い合わせ信号受信応答部をさらに備えたことを特徴とする情報表示端末。
【請求項２】
前記問い合わせ信号に対して許諾を行った操作者の属性に関する情報を送信する、第２の送信部を更に有することを特徴とする請求項１に記載の情報表示端末。
【請求項３】
(A）情報表示端末の表示画面がコンテンツを表示するステップと、
(B) 前記情報表示端末の視点検知部が、当該情報表示端末を操作する操作者の、前記表示画面上の視点位置を検知するステップと、
(C) 前記情報表示端末の出力部が、前記表示画面の表示内容を特定する情報と、前記視点位置の検知結果とを対応させて所定の送信先へ出力するステップと、を備え、且つ、
当該情報表示端末の問い合わせ信号受信応答部が、当該情報表示端末の操作者へ報酬が支払われることを条件として前記（C）に記載の出力部の動作を当該情報表示端末が実行することの許諾を操作者へ求める問い合わせ信号を受信して、操作者の操作に応じて当該問い合わせ信号に対する回答を送信するステップを更に有することを特徴とする、情報送信方法。
【請求項４】
前記情報表示端末の第２の送信部が、前記問い合わせ信号に対して許諾を行った操作者の属性に関する情報を送信するステップを更に有することを特徴とする請求項３に記載の情報送信方法。
【請求項５】
請求項３または４に記載の情報送信方法が有する各ステップを実行するためのコンピュータプログラム。
【請求項６】
情報表示端末が、
（A）   表示画面と、
（B）   当該情報表示端末を操作する操作者の、前記表示画面上の視点位置を検知する視点検知部と、
（C）   前記表示画面の表示内容を特定する情報と、前記視点位置の検知結果とを対応させて所定の送信先へ出力する出力部と、を備え、且つ、
前記出力部が実行する前記所定の送信先への出力の実行を前記操作者が事前に許諾した事実を記録保持するかまたは端末外部へ送信する許諾アクション処理部をさらに備えたことを特徴とする情報表示端末。
【請求項７】
前記出力部が行う前記所定の送信先への出力は、前記操作者の属性に関する情報を含んで実行されることを特徴とする、請求項６に記載の情報表示端末。
【請求項８】
(A）情報表示端末の表示画面がコンテンツを表示するステップと、
(B) 前記情報表示端末の視点検知部が、当該情報表示端末を操作する操作者の、前記表示画面上の視点位置を検知するステップと、
(C) 前記情報表示端末の出力部が、前記表示画面の表示内容を特定する情報と、前記視点位置の検知結果とを対応させて所定の送信先へ出力するステップと、を備え、且つ、
前記情報表示端末の許諾アクション処理部が、前記出力部が実行する前記所定の送信先への出力の実行を前記操作者が事前に許諾した事実、を記録保持するかまたは端末外部へ送信するステップをさらに有することを特徴とする情報送信方法。
【請求項９】
前記出力部が行う前記所定の送信先への出力は、前記操作者の属性に関する情報を含んで実行されることを特徴とする、請求項８に記載の情報送信方法。
【請求項１０】
請求項８または９に記載の情報送信方法が有する各ステップを実行するためのコンピュータプログラム。
【発明の詳細な説明】
【技術分野】
【０００１】
本開示は、ユーザのＷＥＢ閲覧情報を収集するシステムなどに好適な、情報表示端末、情報送信方法、コンピュータプログラムに関する。
【背景技術】
【０００２】
スマートフォンなど情報端末（ＰＤＡ：パーソナルデジタルアシスタント）あるいはパーソナルコンピュータなどを閲覧しているユーザの眼球周辺を撮影した画像から、現在このユーザの眼球が志向している方向を検知し、現在この情報端末に表示されている表示内容の情報と合わせて、現在ユーザがこの情報端末の表示コンテンツの中で具体的に何に注視をしているかを情報として得ようとする構成が、従来技術としていくつか提案されている。
【０００３】
例えば、下記の特許文献１には、携帯電話機、カーナビゲーションなどを対象とした移動体向け放送サービスの表示画面を視認する視聴者の視線情報を活用して、従来の視聴率だけでは わからない「番組がどのように見られているのか」という視聴の質を測定しようとする構成が開示されている。
【０００４】
また、同じく下記の特許文献２には、第１のユーザによるコンテンツ（動画像）の時間的な注目位置を特定し 、特定された時間的な注目位置を示す注目時間情報を、コンテンツ情報及び注目位置情報 と対応付けて出力し、第２のユーザが視認する表示部にコンテンツ（動画像）が再生表示された際に、当該コンテンツ情報とともに出力された注目時間情報に基づく時間的な注目位置と、注目位置情報に基づく空間的な注目位置と、を共通の指標により当該表示部に識別可能に表示させ、この結果、第１のユーザのコンテンツ内の時間的な注目位置と空間的な注目位置とを第２のユーザに効率よく把握させようとしたシステムが開示されている。
【０００５】
さらに、これらユーザの視線情報を得るための基盤技術である視線検知技術として、下記の非特許文献１が、眼球を撮影して視線方向を算定する際の個人ごとのキャリブレーション技術の改良を開示しており、同じく下記の特許文献３には、眼球を撮影して視線方向を検知しようとする技術において、画像テンプレートを用いて、遺伝的アルゴリズムの下で正しい検知率を向上させようとする技術が開示されている。
【０００６】
また、下記の非特許文献２には、まず１４５０名以上の対象者から２．５メガフレーム以上のアイトラッキング画像データを収集し（「ＧａｚｅＣａｐｔｕｒｅ」と呼ぶ）、このＧａｚｅＣａｐｔｕｒｅを用いて、アイトラッキング用深層ニューラルネットワークである「ｉＴｒａｃｋｅｒ」を学習させることによって、特別なセンサーを搭載しないモバイル情報端末、例えばスマートフォンによるアイトラッキングの精度を１．７１ｃｍ以下とすることができたことが示されている。
【先行技術文献】
【特許文献】
【０００７】
【特許文献１】特許出願公開  特開２００９−５０９４号公報
【特許文献２】特許出願公開  特開２０１７−２２８１９７号公報
【特許文献３】特許出願公開  特開２０１３−４５１５１号公報
【非特許文献１】大野 健彦、武川 直樹、吉川 厚；「眼球形状モデルに基づく視線測定法」（第８回画像センシングシンポジウム、ｐｐ３０７−３１２、２００２）
【非特許文献２】Kyle Krafka、et al.; “ Eye Tracking for Everyone “, CVPR2016, http://gazecapture.csail.mit.edu/
【発明の概要】
【発明が解決しようとする課題】
【０００８】
インターネットが普及して種々のビジネスがＷＥＢを経由するようになり、物品あるいはサービスの販売がＷＥＢ経由で行われるようになると、視聴者すなわち購買層の興味や嗜好を知るための基礎情報として、ＷＥＢページの閲覧記録の重要性は今後もますます高まると予想される。従ってＷＥＢを何らかの形で利用してビジネスを行う企業、あるいはＷＥＢで個人取引を行う個人は、今後ますます、より付加価値の高い、精微なＷＥＢ閲覧情報を求めてくるものと予想される。
【０００９】
さらに、これらＷＥＢ閲覧情報を多数の閲覧者ベースで入手できれば、データマイニングを用いて、より高度に活用が行えると期待される。
【００１０】
ところが、ある個人が現在どのＷＥＢ上のページのどの場所を見ているか、という詳細な閲覧情報は個人情報であるので、閲覧者の同意なしに収集して活用することは困難である。一方、先の説明のようにこれら閲覧情報は多人数の情報を得ることが重要であるので、個人情報であるＷＥＢ閲覧情報の収集について、閲覧の都度、情報収集側から閲覧者（ユーザ）へ許諾を得ることは煩雑であり、現実的ではない。
【００１１】
さらに、情報を提供する閲覧者（ユーザ）の立場から言えば、自分の閲覧情報を第三者へ提供することはデメリットこそあれ、メリットが見いだせないので、情報の収集はこの観点からも困難である。
【００１２】
また、ＷＥＢ閲覧情報は、閲覧者の属性（性別、年齢、職業など）が付随していると、ビジネスに活用をしたい企業などで活用の可能性が広がる。
【００１３】
本発明は上記の状況に鑑みてなされたものであり、特に、ＷＥＢ閲覧機器など、時々刻々と表示内容が変化する配信情報の表示物を閲覧する閲覧者が、表示コンテンツの中で具体的にどこを注視しているか、に関する情報（アイトラッキング情報）を、個人情報であるにもかかわらずスムース、大量に収集し、且つ、閲覧者の属性に関する情報までを付随して収集することが可能である、情報表示端末、情報送信方法、コンピュータプログラムを提供すること目的とする。
【課題を解決するための手段】
【００１４】
上記の課題を解決するため、本発明は、下記１）〜１０）に記載の情報表示端末、情報送信方法、コンピュータプログラムを提供する。
１）
情報表示端末が、
（A）   表示画面と、
（B）   当該情報表示端末を操作する操作者の、表示画面上の視点位置を検知する視点検知部と、
（C）   表示画面の表示内容を特定する情報と、視点位置の検知結果とを対応させて所定の送信先へ出力する出力部と、を備え、且つ、
当該情報表示端末の操作者へ報酬が支払われることを条件として（C）に記載の出力部の機能を当該情報表示端末が実行することの許諾を操作者へ求める問い合わせ信号を受信して操作者の操作に応じて当該問い合わせ信号に対する回答を送信する、問い合わせ信号受信応答部をさらに備えたことを特徴とする情報表示端末。
２）
問い合わせ信号に対して許諾を行った操作者の属性に関する情報を送信する、第２の送信部を更に有することを特徴とする１）に記載の情報表示端末。
３）
(A）情報表示端末の表示画面がコンテンツを表示するステップと、
(B) 情報表示端末の視点検知部が、当該情報表示端末を操作する操作者の、表示画面上の視点位置を検知するステップと、
(C) 情報表示端末の出力部が、表示画面の表示内容を特定する情報と、視点位置の検知結果とを対応させて所定の送信先へ出力するステップと、を備え、且つ、
当該情報表示端末の問い合わせ信号受信応答部が、当該情報表示端末の操作者へ報酬が支払われることを条件として（C）に記載の出力部の動作を当該情報表示端末が実行することの許諾を操作者へ求める問い合わせ信号を受信して、操作者の操作に応じて当該問い合わせ信号に対する回答を送信するステップを更に有することを特徴とする、情報送信方法。
４）
情報表示端末の第２の送信部が、問い合わせ信号に対して許諾を行った操作者の属性に関する情報を送信するステップを更に有することを特徴とする３）に記載の情報送信方法。
５）
３）または４）に記載の情報送信方法が有する各ステップを実行するためのコンピュータプログラム。
６）
情報表示端末が、
（A）   表示画面と、
（B）   当該情報表示端末を操作する操作者の、表示画面上の視点位置を検知する視点検知部と、
（C）   表示画面の表示内容を特定する情報と、視点位置の検知結果とを対応させて所定の送信先へ出力する出力部と、を備え、且つ、
出力部が実行する所定の送信先への出力の実行を操作者が事前に許諾した事実を記録保持するかまたは端末外部へ送信する許諾アクション処理部をさらに備えたことを特徴とする情報表示端末。
７）
出力部が行う所定の送信先への出力は、操作者の属性に関する情報を含んで実行されることを特徴とする、６）に記載の情報表示端末。
８）
(A）情報表示端末の表示画面がコンテンツを表示するステップと、
(B) 情報表示端末の視点検知部が、当該情報表示端末を操作する操作者の、表示画面上の視点位置を検知するステップと、
(C) 情報表示端末の出力部が、表示画面の表示内容を特定する情報と、視点位置の検知結果とを対応させて所定の送信先へ出力するステップと、を備え、且つ、
情報表示端末の許諾アクション処理部が、出力部が実行する所定の送信先への出力の実行を操作者が事前に許諾した事実、を記録保持するかまたは端末外部へ送信するステップをさらに有することを特徴とする情報送信方法。
９）
出力部が行う所定の送信先への出力は、操作者の属性に関する情報を含んで実行されることを特徴とする、８）に記載の情報送信方法。
１０）
８）または９）に記載の情報送信方法が有する各ステップを実行するためのコンピュータプログラム。
【発明の効果】
【００１５】
上記のような構成を有することにより、本発明は、特に、ＷＥＢ閲覧機器など、時々刻々と表示内容が変化する配信情報の表示物を閲覧する閲覧者が、表示コンテンツの中で具体的にどこを注視しているか、に関する情報を、個人情報であるにもかかわらずスムース、大量に収集し、且つ、閲覧者の属性に関する情報までを付随して収集することが可能である、情報表示端末、情報送信方法、コンピュータプログラムを提供することができる。
【図面の簡単な説明】
【００１６】
【図１】本発明にかかる閲覧視点情報収集システムが好適に活用されうる局面としてスマートフォンの表示画面を模式的に示した図である。
【図２】本発明にかかる閲覧視点情報収集システムが好適に活用されうる局面としてスマートフォンの表示画面を模式的に示した図である。
【図３】本発明にかかる一実施の形態である閲覧視点情報収集システムの構成図である。
【図４】図３の閲覧視点情報収集システムが有する情報収集サーバの構成図である。
【図５】図３の閲覧視点情報収集システムが用いるレコードフォームの例である。
【図６】図３の閲覧視点情報収集システムが実行する情報提供者登録のフローチャートである。
【図７】図３の閲覧視点情報収集システムが実行する情報提供者登録のフローチャートである。
【図８】図３の閲覧視点情報収集システムが実行する閲覧視点情報送信のフローチャートである。
【図９】本発明の他の実施形態を説明するための、仮想的３次元空間の模式図である。
【図１０】図９の仮想的３次元空間を各視点から見た画像の模式図である。
【発明を実施するための形態】
【００１７】
〔本発明の各実施形態が好適に活用されうる局面  その１〕
本発明にかかる各実施形態を説明するに先立って、これら各実施形態が好適に活用されうるいくつかの局面を説明する。
【００１８】
図１は、スマートフォンに、個人のブログページ画面が表示されている局面を模式的に示した図である。
【００１９】
スマートフォン１は、表示パネル１ａ、表示パネル１ａを見ているユーザ（ＷＥＢの閲覧者）を撮影可能な視野を有するインカメラ１ｂ、スピーカ１ｃ、ホームボタン１ｄをそれぞれ備えている。
【００２０】
インカメラ１ｂは、当初、ビデオ会話（テレビ会議、テレビ電話）や自撮り（セルフィー）画像を撮影することを目的として多くのスマートフォンあるいは携帯電話に搭載されてきたものであり、図示していないアウトカメラ（操作者と反対方向を向く、景色撮影用カメラ）と対比される。
【００２１】
表示パネル１ａには現在、ブログ投稿者１−３が作成したブログ「奥日光ドライブの思い出」のホームページ１−１が表示されていて、そのホームページ１−１には画像として、宿泊したホテル１−２、ブログ投稿者１−３、乗用車１−４、「安らぎの宿  ホテル〇〇」との記載がある第１のバナー広告１−５、「オフロードＳＵＶなら□□」との記載がある第２のバナー広告１−６が表示されている。
【００２２】
このホームページ１−１を閲覧訪問した閲覧者は、表示されたメニューボタン１−７をクリックして選択を行うことにより、ホームページ１−１から下位に配置された他のページ、例えば写真掲載のページや日記が記されたページを閲覧することができる。
【００２３】
後に説明するように、本発明にかかる各実施形態を用いることで、閲覧者の眼１００が現在、表示パネル１ａのどの位置を見ているか、視線１００−１の先の、表示パネル１ａ上の視点の移動軌跡１００−２を知ることが可能となる。
【００２４】
従来技術では、ブログ投稿者１−３は、誰かがこのホームページ１−１を閲覧で訪れたことまでは認識できたが、それではホームページ１−１上のどの部分に閲覧者が注目をしたのか、まではわからなかった。しかし本発明各実施形態では視点の移動軌跡１００−２を知ることができるので、自分がデザインして製作したホームページ１−１のどの箇所が人目を引いたのか、注目されたのかを知ることができてブログを作成した労が報われるとともに、自分が高い閲覧率と予想していた箇所が意外にも注目されなかったのであれば、その部分をトップページに移動させたり、その部分のコメントをブログに追記して「みんな、こちらも見てね」と誘うことも可能となる。
【００２５】
また、このブログのホームページ１−１を閲覧訪問した個々の閲覧者については、閲覧をした動機は様々であり、ある閲覧者はブログ投稿者１−３と個人的な面識があったから訪問し、別な閲覧者はこのブログ投稿者は知らなかったものの、「奥日光」という旅行先について知識や興味があったかもしれず、そのような閲覧者は、ホームページ１−１に貼られた景色の写真や、宿泊したホテル１−２の写真に注目し、長い時間注視するかもしれない。あるいは、他の閲覧者は、ブログ投稿者１−３と面識はなく、「奥日光」という場所に関心も薄かったが、ブログ投稿者１−３が旅行で使った乗用車１−４に興味があり、この写真を長時間注目したのかもしれないし、乗用車１−４についてブログ投稿者が書いた日記の記載箇所をずっと読んだのかもしれない。このような個々の閲覧者の視線軌跡１００−２をブログ投稿者１−３が入手することで、次回からのブログ作成の参考とすることで、より高い閲覧数となるように改良することが可能となる。
【００２６】
一方、このブログ投稿者１−３はインターネット広告業者またはインターネットプロバイダーと契約を行い、自分のホームページ１−１内に２つのバナー広告１−５、１−６を掲載している。広告掲載契約では、第三者である閲覧者がこのホームページ１−１を訪問した数で掲載料が広告主からブログ投稿者１−３へ支払われるペイバイビュウ方式がとられることが多い。
【００２７】
広告主の立場からは、自社広告が閲覧者からどれだけ注目されたのかは、従来技術では判明しなかったが、本発明実施形態によれば、まず閲覧者の視線軌跡１００−２が得られるので、自社バナー広告が実際に注目されたかどうかが判明し、この結果、自社バナー広告をこのホームページ１−１に掲載したことの効果、メリットがわかる。さらに、後で説明をするように、本発明の各実施形態によれば、閲覧者の属性を付帯させた視線軌跡１００−２が得られるので、例えば乗用車のメーカーでは、自社のバナー広告である「オフロードＳＵＶなら□□」は確かに幾人かの閲覧者には注目されたものの、それら閲覧者の属性を見ると乗用車の最上の購買層とは必ずしも言えないことから、引き続きこのホームページ１−１に自社バナー広告を出稿し続けることの是非を判断する材料とすることができる。
【００２８】
〔本発明の各実施形態が好適に活用されうる局面  その２〕
図２は、図１と同様にスマートフォン１にＷＥＢ上のページが表示されている状況ながら、図１のような個人ブログではなく、「△△電子株式会社」という企業のポータルホームページ２−１が表示されている状況を模式的に示している。
【００２９】
ホームページ２−１にはいくつかのフレーム表示が含まれており、「ＣＥＯ挨拶」フレーム２−２、「製品ラインナップ」フレーム２−３、「新着ニュース」フレーム２−４、この企業への問い合わせ情報フレーム２−５、ホームページ内検索フレーム２−６が含まれている。
【００３０】
このホームページ２−１を掲示した企業としてなるべく多くの閲覧者に閲覧訪問をしてもらうことが望ましく、例えば多くの閲覧者がまずＣＥＯ挨拶フレーム２−２に注目するのであれば、このＣＥＯが業界内で様々な活動（講演、啓蒙、発表など）を行ったことが閲覧につながったと判断することができ、それら活動を更に強化するであろうし、新着ニュースフレームへの注目が多いのであれば、どのようなニュースを発信すれば注目をされるのか、過去のニュースの内容分析をすればよいことがわかる。
【００３１】
また、ホームページ２−１を訪問閲覧した閲覧者が製品ラインナップフレーム２−３上で視線をさまよわせ、上のヘッダフレーム２−１にある「製品紹介」ボタンを押して下位のページを閲覧したものの目的を達成せず、最後にページ内検索フレーム２−６で例えば「サイリスタ」という部品名を検索したのであれば、結局この閲覧者はこの電子部品メーカーのサイリスタを探していたのであって、トップページ２−１の製品ラインナップフレーム２−３にはサイリスタが掲載されていないので目的を達成せず、下位の製品紹介ページでも発見に至らなかったのがわかる。しかもこの閲覧者の属性を見ると、「家電メーカーで製品活溌に従事」となっていた場合には重大な機会損失があったことがわかり、速やかにホームページ２−１上での製品ラインナップの掲載方法を改良すべきであることが判明し、企業のビジネスにとって貢献が大きい。
【００３２】
〔第１の実施形態  〜プッシュ型の情報収集〕
次に、本発明の第１の実施形態である閲覧視点情報収集システム３を、図３乃至図７を用いて説明する。本システム３は、スマートフォン１のユーザによるＷＥＢ閲覧時の視点の情報を、スマートフォン１にインストールされた専用アプリケーションソフト（以下「専用アプリ」という）を用いて収集するシステムである。
【００３３】
図３の構成図に示すように、閲覧視点情報収集システム３は、スマートフォン１と、情報収集サーバ２０と、アプリダウンロードサーバ４０とを有し、それらがインターネット通信網３０を介してデータ交換可能に相互に接続されている。なお、図示ではスマートフォン１は１台のみであるが、実際の運営に当たっては複数のスマートフォンが含まれる。
【００３４】
スマートフォン１は汎用のスマートフォンであって、専用アプリをアプリダウンロードサーバ４０からダウンロードしてインストールの上、次のような各構成を有している。
【００３５】
すなわちスマートフォン１の表示パネル１ａは先に図１、図２で説明したように、ＷＥＢ上の各ページの内容を表示する。インカメラ１ｂも先に説明したように、スマートフォン１を使用するユーザであるＷＥＢ閲覧者を撮影し、特にその眼球周辺の画像を撮影して閲覧者の視線方向を検出可能としている。スピーカ１ｃは、専用アプリを用いて閲覧者の登録を行ったり、登録後に閲覧視点情報をこのスマートフォン１からサーバ２０へ送信する際の操作のインストラクション情報発声に用いてもよい。
【００３６】
視点検出部１ｅはインカメラ１ｂが撮影した閲覧者の眼球周辺の画像を用いて、閲覧者の視線を検知し、この視線の先にある表示パネル１ａ上の視点の位置を座標の値として生成する。具体的な視線検知の方法は、先に説明をした非特許文献１その他の公知情報から利用することができる。インターフェース部１ｆは、スマートフォン１内外の送受信インターフェースである。
【００３７】
なお、視点検出部１ｅを、眼球周辺の画像を用いて閲覧者の視線を検知する方式ではなく、先に非特許文献２で説明をしたような、特別なセンサーを搭載しないモバイル情報端末、例えばスマートフォンを用いて、アイトラッキングについての蓄積データによる機械学習、ニューラルネットワークなどの手法を用いることにより、スマートフォン閲覧者の視線、あるいは視線の先にある視点の位置を検出するように構成してもよい。
【００３８】
記憶部１ｇは、スマートフォン１が行う各種動作のための、オペレーティングシステムプログラム、ブラウジング（閲覧）プログラムを含む各種アプリケーションプログラムを読み出し可能に記憶するものであり、閲覧視点情報収集のための専用アプリも記憶する。ＣＰＵ（セントラルプロセッシングユニット）１ｈはスマートフォン１が行う各種の動作を統制する中央処理部である。操作部１ｉは具体的にはホームボタン１ｄや、表示パネル１ａのタッチセンサであり、図示しないマイクロフォンが拾う閲覧者の発声を音声認識して用いてもよく、これらを用いたユーザインターフェース機能部である。これら各構成はバスライン１ｊによりデータ交換可能に相互接続されている。
【００３９】
アプリダウンロードサーバ４０は、視点情報収集のための専用アプリに限らない、スマートフォン１が利用可能な各種アプリを収納して、スマートフォン１からの要求に応じてこれらアプリのダウンロードに応じるサーバであって、サーバ４０内外のデータ送受統制を行うインターフェース部４０ａ、各種アプリを記憶格納する記憶部４０ｂ、サーバ４０の各種動作を統制する中央処理部であるＣＰＵ４０ｃをそれぞれ備え、それら各構成は同じくバスライン４０ｄでデータ交換可能に相互接続されている。
【００４０】
（情報収集サーバ２０の構成）
次に、図４の構成図、図５のレコードフォーム説明図を用いて本システム３が有する情報収集サーバ２０の各構成を説明する。
【００４１】
閲覧者登録管理部２０ａは、スマートフォン１を使用するＷＥＢ閲覧者であって視点情報の提供を承諾した登録者の情報を管理する部であり、個人情報である閲覧視点情報のシステム３による収集を承諾する承諾書である電子メール記録などを保管し、登録者の基本情報として、図５に例示するように、システムが付与する登録アカウント（図５例示では「１２３４５６」）、登録者の生年と性別（同じく「１９７９年  男」）、登録者の職業と業種（同じく「医薬品製造販売業、営業職」）、家族構成（同じく「配偶者、２男、１女」）、趣味（同じく「釣り、キャンプ」）などを収納記憶している。なおこれら項目は図５例示に限定されず適宜選択してよい。
【００４２】
また、本システム３は、閲覧視点情報を収集するに際して、一例として、顔認証に基づく本人認証を採用している。理由は、後で説明するように登録者（閲覧者）はこれら閲覧視点情報を提供する対価として報酬をシステム３の運営者から得ることになり、また、閲覧者の属性情報をこれら情報の購入者は活用することとなるので、登録者本人が閲覧した閲覧視点情報である点が必須であるからである。なお本人認証としては、顔認証のほかに、虹彩認証、指紋認証などの各種バイオメトリクス認証技術や、その他の認証技術を用いてもよい。
【００４３】
そのため、閲覧者登録管理部２０ａは、本人認証に用いるための例えば顔画像のデータを保管している。
【００４４】
閲覧視点情報記憶部２０ｂは、承諾を得て登録者（ＷＥＢ閲覧者）から収集した閲覧視点情報を登録者ごとに記憶する部であって、図５に例示するように、閲覧者の登録アカウント（図５例示では「１２３４５６」）、閲覧をした日にち（同じく「２０１８年８月１日」）、閲覧をした時刻（同じく「７時１分０秒から５秒ごと」）、閲覧をしたアドレスであるＵＲＬ（ユニフォームリソースロケータ）情報（同じく「https://〇〇〇、https://〇〇〇/△△」）、閲覧視点の表示パネル上での座標数値（表示パネル左下を座標（０，０）としたピクセル単位の数値）（同じく「（200、450）、（50、320）、（100、31）」などを記憶保管する。なお実施にあたってはこれら項目に限定される必要はない。図５図示例では、閲覧者はまず７時１分０秒にトップページの閲覧からスタートし、その後トップページの同じ場所を１分１５秒まで１０秒にわたり注目し、そして下位のページに移動している。
【００４５】
閲覧報酬記録部２０ｃは、登録をしている閲覧者が、契約に従って対価を得る閲覧情報を提供した際の対価（報酬）を登録者ごとに記憶している。記録された報酬額は登録者が希望をすれば閲覧ができるものであり、システムの規定に従い、例えば毎月月末に登録者しての銀行口座へ振り込みの手続きが取られるようにしてもよい。
【００４６】
閲覧視点情報配信先管理部２０ｅは、閲覧情報を提供する登録者ではなく、閲覧情報をシステムの運営企業から購入する利用者に関する情報として、例えば企業名、企業ポータルホームページのＵＲＬ（ユニフォームリソースロケータ）情報、この企業が欲する閲覧情報の条件（例えば自社ポータルホームページへの訪問閲覧者情報、あるいは自社製品の購買層としてフィットする属性を有する登録者の閲覧情報全般など。）、情報の送信タイミングなどを記憶保存する。
【００４７】
インターフェース部２０ｆは、サーバ２０内外の情報送受の制御を行う。
【００４８】
閲覧視点情報配信部２０ｇは、閲覧視点情報配信先管理部２０ｅに予め記憶されている、情報購入先あてに、条件で決められた閲覧情報を定期的あるいは適宜生成し送信の処理を行う。送信は、あらかじめ指定されたＵＲＬに閲覧があった場合に随時行う、などの運用をしてもよい。ＣＰＵ（セントラルプロセッシングユニット）２０ｈはサーバ２０の各種動作の統制を行う。記憶部２０ｉは、システム３の運営のための各種データのほか、実行プログラムを記憶する。閲覧者報酬計算部２０ｊは、登録された閲覧者からの閲覧情報収集実績に応じて報酬を計算する部であって、例えば閲覧し、閲覧情報を送信した時間に応じた時給制で報酬額を計算する。バスライン２０ｋはサーバ２０内の各構成をデータ交換可能に相互に接続する。
【００４９】
（閲覧情報提供者の登録）
次に、図６、図７のフローチャートを用いて、このビジネスに興味をいだいた者が、最初に情報提供者としてシステム３に登録を行う手順を説明する。
【００５０】
本実施形態では登録はスマートフォンの専用アプリを用いて行うこととしており、広告でこのビジネスに興味をいだいたり、あるいはＵＲＬを見つけた情報提供希望者は、指定されたＵＲＬにアクセスして専用アプリをダウンロードする（ステップＳ１０１、Ｓ１０２）。
【００５１】
そして専用アプリを起動すると、登録者として登録を行うメニューがスマートフォン１に表示されるので登録希望者はそのメニューを選択する（ステップＳ１０３，Ｓ２０１）。
【００５２】
メニューを選択すると、スマートフォン１からサーバ２０へ、「閲覧情報提供者として登録を希望するので、必要な入力フォームを送られたい」という主旨のクエリー（問い合わせ文、問い合わせ信号、依頼文または依頼信号。以下同じ意味で「クエリー」を用いる。）が送信される（ステップＳ２０２）。
【００５３】
これに応じてサーバ２０は、まず「あなたが今後提供する閲覧位置情報は個人情報に当たるものであるが、提供を承諾するか」との問い合わせをスマートフォン１へ行い、希望者が同意する場合にはたとえば「同意する」という、スマートフォン１の画面上に表示されたボタン表示をクリックすると、同意した証拠となる電文記録がスマートフォン１からサーバ２０へ送信がなされ、サーバ２０にて保管がなされる（ステップＳ２０３，Ｓ２０４）。これら、サーバ２０からの問い合わせ信号を受信して、許諾いずれかの内容などをサーバ２０へ送信する制御を、ＣＰＵ（セントラルプロセッシングユニット）１ｈが実行する。すなわち、ＣＰＵ１ｈは、サーバ２０からの問い合わせ信号に対しての受信および応答を行うよう構成されている。
【００５４】
もしも希望者が同意をしなければ、専用アプリを強制終了し、動作は終了する（ステップＳ２０４，Ｓ２０７）。
【００５５】
希望者が同意をすれば次に、先に図５で例示したような希望者個人の登録情報クエリーがサーバ２０からスマートフォン１へ送られ、希望者が記入してサーバ２０へ送信保管され、専用アプリが強制終了する（ステップＳ２０５，Ｓ２０６、Ｓ２０７）。
【００５６】
（閲覧視点情報の収集）
次に、登録を終えた閲覧者が、自分がＷＥＢ閲覧を行った際の閲覧視点情報を送信して、サーバ２０による収集に応じる一連の動作を図８のフローチャートを用いて説明する。
【００５７】
本実施形態においては、登録者が専用アプリを起動している状態で、閲覧視点情報が収集される。なお、これに限らず、登録者がスマートフォン１でＷＥＢ閲覧をしているときには常に閲覧視点情報がサーバ２０に送られるようにしてもよいし、専用アプリを立ち上げるのではなく他の操作により閲覧視点情報の送信が行われるようにしてもよい。いずれの方法も当然登録者の同意のもとで収集が行われる。
【００５８】
まず、閲覧情報を送信しようとする登録者は専用アプリを起動し（ステップＳ３０１）、この後、スマートフォン１のインカメラ１ｂで登録者の顔画像が撮影される（ステップＳ３０２）。顔認証を行う理由は、先に説明したように、閲覧を行うのが登録者本人である必要があるからである。なお、顔認証以外の方法で登録者本人であることを特定してもよい。顔認証用画像データは、情報送信開始クエリーとともにスマートフォン１からサーバ２０へ送信される（ステップＳ３０２）。
【００５９】
サーバ２０は、すでに情報提供者として登録済みであるものの、情報収集の度に先の情報収集承諾の証拠資料（承諾する旨の電文記録）を確認するようにすれば、より確実に登録者の意志確認が行える（ステップＳ３０３，Ｓ３０４）。
【００６０】
登録者の承諾が確認できれば、スマートフォン１から閲覧視点情報（図５例示）が送信開始し、例えば５秒の時間間隔で、登録者が専用アプリを停止する操作を行うまで、閲覧視点情報の送信が続けられる（ステップＳ３０５，Ｓ３０６，Ｓ３０７、Ｓ３０８）。
【００６１】
この結果、サーバ２０には、この登録者に紐づけられた閲覧視点情報が記録保管され、先に説明したような情報活用が、情報を購入する企業などでは可能となる。
【００６２】
〔第２の実施形態  〜プル型の情報収集〕
先に説明した本発明の第１の実施形態では、閲覧視点情報を提供しようとする閲覧者（登録者）が、自分の希望する時間の間に、自発的に情報の発信を行う、いわゆるプッシュ型の情報収集であった。
【００６３】
一方、閲覧情報を利用したい情報購入の側では、閲覧を行う登録者の属性を重要視し、たとえばある年齢の女性に絞って閲覧情報を収集したり、ある職業、例えば医療者だけに絞って閲覧情報を収集したい、という要求があるかもしれない。
【００６４】
これに対してサーバ２０は、「医療者による閲覧情報の収集」という要求を受けた場合に、サーバ２０にすでに登録されている登録者の情報から医療者のみを選択し、医療者である登録者だけに向けて「これから閲覧情報の送信は可能か？」というクエリーを出してもよい。その場合に報酬を高めに設定すれば、登録者がアイトラッキング情報を送信しようという動機付けともなる。
【００６５】
〔第３の実施形態  〜パーソナルコンピュータ等における実施〕
自分が閲覧をした視線軌跡の情報であるアイトラッキング情報を提供しようとするユーザが用いる端末を、先の実施形態ではスマートフォン１を例示して説明したが、スマートフォンに限らずあらゆるＰＤＡ（パーソナルデジタルアシスタント）、パーソナルコンピュータで実施が可能である。
これらパーソナルコンピュータを用いる場合に、登録者の眼球周辺画像を撮影して視線検知を行ったり、あるいは登録者の画像を撮影した結果からニューラルネットワークによる学習に基づいて視線検知を行うために、例えばインカメラを内蔵したパーソナルコンピュータであればそのインカメラを用いることができるし、別体のデジタルカメラ、ＵＳＢ接続仕様を有するカメラなどを使用することができる。
【００６６】
〔第4の実施形態  〜アプリを使用しない実施形態〕
先の各実施形態では、あらかじめ専用アプリケーションプログラム（スマートフォンの場合にはスマホ用の専用アプリ）を、使用するスマートフォン、パーソナルコンピュータあるいはＰＤＡにインストールをして閲覧視点情報の送信を行う構成であった。
【００６７】
本発明の実施に際して、専用アプリケーションプログラムを用いる点は必ずしも必須ではない。
【００６８】
例えば、あるＷＥＢ上に掲示されているホームページを閲覧中に、情報提供の誘い、閲覧情報提供者としての登録、閲覧視点情報の送信が行われるよう、ジャバスクリプトなどのプログラムが閲覧者の情報端末で実行されるよう構成してもよく、この構成もまた本発明に含まれる。
【００６９】
〔第５の実施形態  〜3次元空間を対象とした閲覧視点情報の取得〕
先の説明では、閲覧視点情報（視点の軌跡の情報）は、閲覧を行う情報端末のディスプレイ画面という2次元平面上の座標情報に基づいた情報であった。
【００７０】
近年、仮想的な3次元空間内に仮想的なオブジェクト、例えばアイテムや、アバター（人物の代理オブジェクト）を配置し、この仮想的3次元空間を、これらオブジェクトを含めてコンテンツとして配信して複数の情報端末で視聴できるようにしたり、あるいはこれらコンテンツを視聴している視聴者が、自分のアバターを生成してこの3次元空間に投入し、コンテンツに対する仮想的な参加を行う構成が実現している。
【００７１】
このような仮想的な、あるいは現実の3次元空間内のある対象物、あるいは座標位置に対しても、閲覧視点の情報を得ることが可能である。
【００７２】
図９はこのような仮想的3次元空間の一例を模式的に図示したものであって、3次元仮想空間２００内には、背景２００−１、樹木のオブジェクト２００−２、家屋のオブジェクト２００−３、第１のアバター２００−４、第２のアバター２００−５が配置され、またこの仮想的３次元空間はＸ軸、Ｙ軸、Ｚ軸という３軸の座標軸を有している。
【００７３】
仮想空間２００内にある各オブジェクトは、外観に関するデータと、位置あるいは姿勢に関するデータ（前者を座標データという場合もあり、後者を骨格データ、あるいはボーンデータという場合もある）を有しており、これらデータはこの仮想空間２００を生成して配信を行う主催者が用いるパーソナルコンピュータ内、あるいは仮想空間データを配信するサーバ内に保存がされている。主催者はこれら各オブジェクトの外観データと、位置あるいは姿勢データとを、サーバを経由して、あるいは直接に、もしくはサーバから、この仮想空間の視聴を行う視聴者が用いる情報端末（パーソナルコンピュータ、スマートフォンなど）に送信し、視聴者が用いる各情報端末において、これらオブジェクトに関する情報などから、仮想空間２００を情報端末付属のディスプレイで視認をするための描画（レンダリング）が行われる。なお、レンダリングは視聴を行う端末で行うほかに、配信者が用いる端末あるいは配信を行うサーバで行ってもよい。
【００７４】
レンダリングは、仮想空間内外の特定の視点から見た描画となり、その視点とは、例えば第１のアバター２００−４、第２のアバター２００−５、仮想的カメラ２００−６であって、それぞれを視点として、画像の描画が行われる。視聴者はこれら利用可能な視点の内、所望の視点を選択してレンダリングを行うことができるし、あるいはシステム上可能であれば、独自の視点である新たな仮想カメラなど（図示しない）を新たに空間２００内外に配置したり、それら視点となるオブジェクトを移動させることもできる。
【００７５】
図１０は仮想的３次元空間２００を、第１のアバター２００−４、第２のアバター２００−５、仮想的カメラ２００−６というそれぞれ視点から見た画像としてレンダリングをした状況を模式的に示したものである。
【００７６】
第１のアバター２００−４から見た画像（図１０（Ａ））はディスプレイの左下を原点とした２つの軸ｘ１、ｙ１上の数値で表される座標系を有しており、同様に第２のアバター２００−５から見た画像（図１０（Ｃ））は２つの軸ｘ３、ｙ３上の数値で表される座標系を、同じく仮想的カメラ２００−６を視点とした画像（図１０（Ｂ））は２つの軸ｘ２、ｙ２上の数値で表される座標系を有している。
【００７７】
さて、視聴者は自己が用いている情報端末のディスプレイで、家屋のオブジェクト２００−３のある点である、図９図示Ａ点を見つめているとすると、先に説明をした各実施例の構成と同様に、システムは、閲覧視点情報として、第１のアバター２００−４から見た画像（図１０（Ａ））の場合にはＡ’点としてその座標値である（ｘ’、ｙ’）を、第２のアバター２００−５から見た画像（図１０（Ｃ））の場合にはＡ’’’点としてその座標値である（ｘ’’’、ｙ’’’）を、仮想的カメラ２００−６から見た画像（図１０（Ｂ））の場合にはＡ’’点としてその座標値である（ｘ’’、ｙ’’）を、それぞれ得ることができる。
【００７８】
これらレンダリング画像を表示したディスプレイ上の座標値を用いて、図９に示すような、仮想的３次元空間２００において、家屋のオブジェクト２００−３の対応する点であるＡ点の座標を、先に説明したＸ軸、Ｙ軸、Ｚ軸上の数値で表される座標系における座標の値として、（Ｘ１，Ｙ１，Ｚ１）という値で得ることができる。その方法はいくつかあるが、第１のアバター２００−４、第２のアバター２００−５、仮想的カメラ２００−６というそれぞれの視点の位置、視線の方向、仮想的な画角（あるいは、仮想的な焦点距離）はあらかじめ与えられているのであるから、幾何学的な計算によって、３次元仮想空間２００における、例えば第１のアバター２００−４からＡ点へ向かう視線のベクトルの情報が得られる。同様にして第２のアバター２００−５からＡ点へ向かう視線のベクトルの情報も得ることができ、これら２つの視線ベクトルの交点がＡ点である。
【００７９】
あるいは、家屋のオブジェクト２００−３の外観データや位置のデータはあらかじめ用意されているので、例えば第１のアバター２００−４からの視線が、この家屋のオブジェクトの位置と交差する交点がＡ点である、としてもよい。
【００８０】
以上の説明では、３次元の仮想空間における３次元座標値の特定として説明を行ったが、３次元の実空間（現実の空間）においても同様の手続きから３次元座標値を決定することができる。
【００８１】
また、現在はほとんどのＷＥＢ上のホームページが２次元の情報として制作掲示されているのに対し、もしも３次元情報としてＷＥＢホームページが制作される場合には、上の手続きに従って３次元空間上の閲覧者の閲覧視点情報を生成することができ、この結果、２次元における閲覧視点情報と同様に効果が得られる。
【００８２】
〔第５の実施形態  〜アイトラッキング情報の収集にあたり、問い合わせ信号の送受信を必要としない実施形態〕
先に説明を行った各実施形態では、操作者が自分のアイトラッキング情報をサーバへ送信するに先立って、サーバから操作者の使用端末へ、「あなたのアイトラッキング情報をこの端末からサーバへ送信して収集するが、承諾をされるか？」という問い合わせ信号（「クエリー」ともいう）を送り、これを見た操作者がもしも許諾（受諾）を示すアクションを行うと、許諾（受諾）を行った事実が別な信号として、使用端末からサーバへ送信される点を説明した。
【００８３】
しかし本発明の実施に際してはこの態様に限定される必要はなく、上の例示とは異なる他の構成として実施することも可能である。
【００８４】
すなわち、スマートフォンを操作者の使用端末として用いる場合に、事前に、アイトラッキング情報収集用のスマートフォン用アプリケーションソフト（通称「アプリ」）をこのスマートフォンへダウンロードして使用することになるが、そのダウンロードに先んじて、上に示した許諾アクションを操作者から受け取るようにしてもよい。
【００８５】
あるいはアプリのダウンロード中や、ダウンロード後に、必須のメニューとして、スマートフォン内にインストールされている専用アプリから、このような許諾を求めるアクションが行われるようにしてもよい。
【００８６】
いずれの場合も操作者が許諾をした事実、例えばスマートフォン画面に表示された「ＹＥＳ」（「同意する」、「許諾する」、「受諾する」などでもよい）のボタン表示を操作者が押した、などのアクションの事実をスマートフォン内部の記録用構成部に記録しておき適切なタイミングで、アプリをダウンロードするためのサーバへ、あるいは他の受信用構成へ、もしくはアイトラッキング情報を収集するサーバへ、操作者が許諾アクションを行った事実を送信するようにしてもよいし、送信を行わず、操作者が用いるスマートフォン内部に記録保持してもよい。
【００８７】
このように構成することで、システムを運営するサーバの管理者側も、アイトラッキング情報を提供する操作者の側も、重複する冗長、煩雑なアクションを行う必要がなくなり作業の効率化が実現する。
【００８８】
なお、このように構成する点は、スマートフォンのアプリを用いる場合に限ることなく、アイトラッキング情報送信のためのジャバスクリプトを付加したデータやプログラムをスマートフォン、パーソナルコンピュータへ送信して実現する場合、あるいは他の態様にてアイトラッキング情報の送信を実現しようとする場合も同様である。
【００８９】
（発明の効果の説明）
本発明によれば、特に、ＷＥＢ閲覧機器など、時々刻々と表示内容が変化する配信情報の表示物を閲覧する閲覧者が、表示コンテンツの中で具体的にどこを注視しているか、に関する情報を、個人情報であるにもかかわらずスムース、大量に収集し、且つ、閲覧者の属性に関する情報までを付随して収集することが可能である、情報表示端末、情報送信方法、コンピュータプログラムを提供することができる。
本発明は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【００９０】
１      スマートフォン
１ｂ    インカメラ
３      閲覧視点情報 収集システム
２０    情報収集サーバ
４０    アプリダウンロードサーバ
【図１】
2020091897.tif 000003
【図２】
2020091897.tif 000004
【図３】
2020091897.tif 000005
【図４】
2020091897.tif 000006
【図５】
2020091897.tif 000007
【図６】
2020091897.tif 000008
【図７】
2020091897.tif 000009
【図８】
2020091897.tif 000010
【図９】
2020091897.tif 000011
【図１０】
2020091897.tif 000012